(57)【特許請求の範囲】
【請求項１】
紙または合成樹脂薄板から短冊状に成形され、その一端部には色および数字を表示した見出部を設け、長手方向の中間部には挟み込み折目を横方向に設け、かつこの挟み込み折目と前記見出部との間に設けた上段部片の中央に折り返し折目を横方向に設けてなる書棚陳列期間判別見出票と、前記見出部とは色および数字の内少なくともいずれかが異なる複数種類の書棚陳列期間判別見出票とからなることを特徴とする書棚陳列期間判別見出票セット。
【発明の詳細な説明】
【０００１】
【発明の属する技術分野】
この発明は、書店において書棚に陳列している書籍に、頭部の見出部を表出させて取付けることにより、その書籍を発行した年度や月などの発行期や版元出荷期（非再販本）あるいは書店入荷期や棚詰め期を表示し、これによって書棚に陳列在庫として置いている期間や再販時限期などが一目で判別できるようにした見出票に関するものである。
【０００２】
【従来の技術】
現在、全国の書店には年間出回り数にして１５億冊以上もの書籍（雑誌を除く）が納品され、各書店には各社各様、多種多様の書籍が多数の書棚に隙間無く並べて置かれている。
【０００３】
従来、書店に並ぶ書籍そのものの中身には発行社名などと共に、発行年月日が掲載されているが、書棚に陳列した状態で棚の外部から発行年月などが見えるように表示されていないため、現状では書棚を一見しただけでは各書籍の発行期や出荷期（出版社側における出本時期）あるいは入荷期や棚詰め期（書店側における入本時期）を掌握することは不可能に近い。
【０００４】
【発明が解決しようとする課題】
一般に書店においては、書棚に陳列されている多種多様な書籍の陳列管理や返品管理をあまり厳密に行えない（ＰＯＳレジによる売上データは出力できても）のが現状で、現実に書誌毎の発行期や書店入荷期、それに基づく陳列在庫期間や返品期限などの把握（店内書棚を一見して陳列状況を把握する視覚的管理）が困難で、長期残留在庫（死蔵品）の迅速返品や他店での活用などを容易に行い難い現状にある。
【０００５】
一方、書籍の業界においては近い将来時限再販制度や部分再販制度が実施される見込みであるが、現状の書籍では書棚に陳列した状態で再販時限期を知ることができない。
【０００６】
【課題を解決するための手段】
頭部の見出部に発行期または版元出荷期（出版社側における出本時期）あるいは書店入荷期や棚詰め期（書店側における入本時期）を彩色ないし数字で表示した見出票を、書店が棚詰めの際にこの見出票の見出部を書籍の上方に若干表出させて挟み込むことにより、この表出した見出部に表示された彩色ないし数字などにより棚外部から書誌毎の発行期や版元出荷期あるいは書店入荷期や棚詰め期を一目で判別できるように構成した。
【０００７】
【発明の実施の形態】
書棚に書籍を陳列した状態で、棚外部から書籍に挟み込んだ見出票の見出部を容易に視認し、それに表示された色彩または年号の数字などの時期表示により、その書籍の発行期や出荷期あるいは書店入荷期や棚詰め期を一目で知ることができるようにした。
【０００８】
【実施例】
図１および図２はこの発明の書店陳列期間判別見出票の一実施例を示したもので、見出票１は比較的厚手の紙または合成樹脂薄板により方形の短冊片状に成形されている。
【０００９】
見出票１には、その頭部に書籍の上方に若干表出（好ましくは８mm程度）させて書籍の発行時期などの所要印刷事項をその形態、サイズ、表示色、レイアウトなどを出版業界全体が統一して表示するための見出部２が設けられている。
【００１０】
この見出票１は、これを統一して制作使用する者が出版社側である場合と書店側である場合が考えられるが、そのいずれかによって見出部２に表示する内容が若干異なるが、表示の構成態様はほぼ同様とすることができる（図１〜図５は出版社側の実施例を、図６〜図１０は書店側の実施例を示す）。
【００１１】
見出部２には、所要部分に西暦などの一部または全部の数字（例えば、１、０１、2001）により書籍の発行年号や出荷年号（出版社側における出本時期）、入荷年や棚詰め年号（書店側における入本時期）を表した年号表示部３が、また年号表示部３に表示された年における書籍の発行期や版元出荷期、あるいは書店入荷期や棚詰め期を月期別に色分けした彩色（例えば、１〜３月期：紫、４〜６月期：緑、７〜９月期：青、10〜12月期：オレンジの４期等、以下期別指定色という）を施した期別表示が設けられ、さらに書店が棚入れ時に判別しやすいように書籍をジャンル別に分けた記号で表示する書籍ジャンル表示部４が設けられ、主要部分には出版社または書店名などを表示できるように構成されている。
【００１２】
この年号表示部３は、主として所定形状の彩色した枠内に白抜き印刷としてその中に数字を表示し、場合によっては白抜き枠内に上記期別指定色の数字を表示すると共に、書籍が重版であることを表示する必要がある場合には図３に示すように枠の周囲に線の囲みを設け、この囲み線のない枠の初版と区別するようにしてもよい。
【００１３】
なお、数年後に予想されるポスト再販本（時限再販）については、年号表示部３の数字や色分けを版元出荷期に置き換え、また部分再販本（フリー価格本）については年号表示部３の数字や色分けを発行期に置き換え、さらに図４に示すように時限再販本と部分再販本であるかを表示するために年号表示部３の空白部に白抜き斜線印刷などの識別飾りを施したり、所要部分に識別記号を印刷することにより、それらを区別して表示するようにすることが望ましい。
【００１４】
見出部２は片面だけに印刷してもよいが、その表示内容を表裏両面から見えるように図２に示す同様の見出し部２’を裏面に印刷（両面印刷）をするか、あるいは図６に示すように折目５を介して上下対称に同様の見出部２’を設け、折目５で折り曲げて表裏面を完全に接着する（この場合には見出部の強度が倍増する）ように構成してもよい。
【００１５】
裏面側の見出部２’には図２に示すように、上記同様の年号表示部３’ならびに上記期別指定色を施すと共にこれに従った発行期や出荷期を数字で表した月期表示部６を設ける。
【００１６】
見出票１を書店側で制作使用する場合には、図８に示すように裏面側の見出部２’には入荷月のチェック欄７を設ける。
【００１７】
なお、指定期別色は見出部２のみでなく見出票１の他の部分や全体に施してもよく、また見出票１の所用部分には従来書籍に一般的に使用されている通称スリップと称する挟み込み紙片に印刷されている補充注文カードおよび売上カードと同様な印刷を施し、また空白部分にISBNナンバー（国際標準書籍番号）や、書店名記入欄や広告等を入れて、従来のスリップとしても兼用できるように構成することができる。
【００１８】
さらに、見出票１を指定期別色と同じ色の台紙を使い、文字などの印刷色は墨色または藍色（ＩＳＢＮのスキャナーによる読み取り可能色）の一色刷りとしてもよい。
【００１９】
見出票１には、その長手方向の中間に見出票１を二つに折り曲げて書籍に挟み込むための挟み込み折目８が横方向に設けられ、この挟み込み折目８と見出部２との間に設けた上段部片１ａの中央（半分の位置）に、この上段部片１ａを二つに折り曲げて見出部２を書籍Ｓの上部に表出させるための折り返し折目９が横方向に設けられている。
【００２０】
見出票１の折り返し折目９は、ここで見出票１の上段部片１ａを折り返したとき、見出部２が書籍Ｓの上方に８mm程度表出するような位置に設け（書棚に書籍を置いたときにその上部隙間を考慮して）、また挟み込み折目８よりも下方の下段部片１ｂは上段部片１ａよりも左右に数mm程度横幅を広く形成し、見出票１を書籍Ｓにその奥まで挟み込んだ状態で上段部片１ａが背表紙より８〜10mm程度離れた位置に保持されるようにして、書店での折り返し作業を容易かつスムースに行えるようにすることが望ましい。
【００２１】
この見出票１の使用に当たっては、図１２に示すように見出票１を折り返し折目９で折らずに上段部片１ａと下段部片１ｂを一連に伸ばした状態で見出部２を下向きにして、出版社が製本時または出荷時に書籍の所要枚葉に跨るように挟み込み、書籍中に全体が隠れた状態にしておき、出版社から発送運搬して書店に納入棚詰めするまでの間（見出の非表示時）この状態を維持する。
【００２２】
そしてこの書籍Ｓを納入した書店において棚詰めする際（見出の表示時）に、見出票１の上段部片１ａを折り返し折目９で折り返して上側に反転させることにより、見出部２を書籍Ｓの上方に僅かに表出させる。
【００２３】
このように見出部２を表出した書籍Ｓを書棚に棚詰めして陳列すると、棚外部から見出部２を容易に視認することができ、それに表示された色彩または年号表示部３により、その書籍Ｓの発行期や出荷期あるいは入荷期や棚詰め期などを一目で知ることができる。
【００２４】
また、挟み込み折目８に切り離し可能なミシン目を入れておくことにより、図１、図５の場合には上段部片１ａと下段部片１ｂを切り離してそれぞれ書店における売上カードおよび補充注文カードとして利用したり、あるいは図６，図７の場合は下段部片１ｂを上段部片１ａから切り離して書籍購入者においてシオリとして利用することが可能となる。
【００２５】
下段部片１ｂを補充注文カードとして利用する場合には、その下端部に見出部２と同様に年号表示や出版社表示印刷すると共に、指定期別色を施したり数字の月期表示を印刷することが望ましい。
【００２６】
図１１はこの発明の書店陳列期間判別見出票をコンパクト化した実施例（書店側制作使用のもの）を示したもので、見出票１’は容易に折り曲げられないような比較的厚手の指定期別色の台紙または合成樹脂薄板により方形の短冊片状に成形されており、その縦方向の中間の所定位置に横長門型の切り込み１０が設けられ、その切り込み１０の両端から見出票１’の左右の側端にかけて横に挟み込み折目１１，１１’が設けられ、切り込み１０に囲まれる部分を見出部２’として上記見出票１と同様な入荷年や棚詰め年号（書店側における入本時期）を表した年号表示部３等を設ける。
【００２７】
また、挟み込み折目１１，１１’より上方の上段部片には入荷月のチェック欄７を設ける。
【００２８】
この見出票１’を書店において挟み込み折目１１，１１’で二つ折りして書籍の所用枚葉に跨るように挟み込むことにより、上記見出部２と同様に見出部２’を書籍Ｓの上端から表出させる。
【００２９】
なお、以上の各実施例において年号表示部３，３’を数字で、また月期表示を彩色で表示した例を示したが、必要に応じて年号表示部３，３’を年号毎に色分けした彩色で、また月期表示を数字（例えば、１〜３、４〜６、７〜９、10〜12等）で表示するようにしてもよい。
【００３０】
【発明の効果】
以上の通りこの発明によれば、書棚に書籍を陳列した状態（見出の表示時）で、棚外部から見出票の見出部を容易に視認することができ、それに表示された色彩または年号の数字などの時期表示により、その書籍の発行期や出荷期あるいは書店入荷期や棚詰め期を一目で知ることができ、しかも書籍そのものに印刷等の手を加えることがないため、出版社を問わずにあらゆる書籍に統一的に表示することが可能となる（出版業界が見出部の構成態様を恒久的に統一化することにより、それに表された発行期などを統一的な見方で確認することができる）。
【００３１】
その結果、書棚における書籍の在庫管理が容易となり、既刊本の書棚長期残留在庫の迅速返品を促し、また他店で読者との結びつきを可能にする市中在庫の有効活用と、特色ある店造りの効率経営にもつながることになると共に、見出部の形式（構成態様）、サイズ、彩色などを出版業界において統一することにより、書棚陳列状態で美観的にも問題なく統一的に揃った状態で表示することができ、また見出部に発行社名を記入しておけば、来店客にもその見出部から発行社名などを知ることができる。
【００３２】
さらに、時限再販、部分再販の自由価格本においても、その鮮度（陳列年月の経過）により値付け変更の目安となり、段階的値引率の指標とすることができる。
【００３３】
また、出版社において見出票をその見出部を下向きにして、その見出部が隠れるように書籍中に挟み込んでおくことにより、梱包や運搬時などの非表示時に見出票を傷めることがなく、これを納入した書店においては棚詰めに際して（見出の表示時）見出票を折目において上側に反転するだけの簡単な手間で容易に見出部を表出させることができる。
【００３４】
さらにまた、一端部には書籍の発行時期または再販時限期（版元出荷期）を表示した見出部を設け、長手方向の中間部には挟み込み折目を設け、かつこの挟み込み折目と見出部との間の上段部片の中央に折り返し折目を設け、見出の非表示時には全体が書籍中に隠れて前記見出部が下向きになるように、挟み込み折目において二枚折りした状態で書籍の所要枚葉に跨るように挟み込み、見出部の表示時に折り返し折目において反転して見出部を上向きにしてこれを書籍の上端から表出させることにより、見出票を製本過程において自動的に挟み込むことができ、書店においては棚詰めに際して見出票を折目において上側に反転するだけの簡単な手間で容易に見出部を表出させることができると共に、見出票を従来のスリップにおける補充注文カードおよび売り上げカードとして兼用することができる。
【図面の簡単な説明】
【図１】この発明の出版社側用の見出票の一実施例を示す正面図である。
【図２】この発明の出版社側用の見出票上部の裏面の態様を示す部分背面図である。
【図３】この発明の出版社側用の見出票の他の実施例を示す正面図である。
【図４】この発明の出版社側用の見出票の他の実施例を示す正面図である。
【図５】この発明の出版社側用の見出票の他の実施例を示す正面図である。
【図６】この発明の書店側用の見出票の一実施例を示す正面図である。
【図７】この発明の書店側用の見出票の他の実施例を示す正面図である。
【図８】この発明の書店側用の見出票上部の裏面の態様を示す部分背面図である。
【図９】この発明の書店側用の見出票の他の実施例を示す正面図である。
【図１０】この発明の書店側用の見出票の他の実施例を示す正面図である。
【図１１】この発明の書店側用の見出票の他の実施例を示す正面図である。
【図１２】この発明の見出票を書籍に挟み込んだ状態を示す斜視図である。
【図１３】この発明の見出票の見出部側を折り返した状態を示す斜視図である。
【図１４】この発明の見出票の見出部を書籍に表出させた状態を示す斜視図である。
【符号の説明】
１  見出票
１’  見出票
１ａ  上段部片
１ｂ  下段部片
２    見出部
２’  見出部
３    年号表示部
３’  年号表示部
４    ジャンル表示部
５    折目
６    月期表示部
７    チェック欄
８    挟み込み折目
９    折り返し折目
１０  切り込み
１１  挟み込み折目
１１’挟み込み折目
Ｓ  書籍
【図１】
0003926526.tif 000002
【図２】
0003926526.tif 000003
【図３】
0003926526.tif 000004
【図４】
0003926526.tif 000005
【図５】
0003926526.tif 000006
【図６】
0003926526.tif 000007
【図７】
0003926526.tif 000008
【図８】
0003926526.tif 000009
【図９】
0003926526.tif 000010
【図１０】
0003926526.tif 000011
【図１１】
0003926526.tif 000012
【図１２】
0003926526.tif 000013
【図１３】
0003926526.tif 000014
【図１４】
0003926526.tif 000015